(57)【要約】　　　（修正有）【課題】両相異したインターフェースを有する電子機器を接続するための電気変換器を提供する。【解決手段】両相異した類型の第１電気コネクタ２１、第２電気コネクタ２２及び前記両コネクタ間を被覆した絶縁本体を含む。前記第１電気コネクタ２１の両側にはそれぞれ一つのボルト２４を設け、第２電気コネクタ２２の両側にはそれぞれ一つのナット２３を設置し、該端部に対応した電気コネクタを接続するボルトに接続するために用いられる。前記第１電気コネクタ２１のボルト２４は絶縁本体両側のスルーホール２０２１に収納され、且つ該スルーホールの側縁部に前記貫通孔の貫通方向に垂直した方向で、それと連通するスロット２０２２を設置し、前記ボルト２４はこのスロットを介してスルーホールに挿入されたため、電気変換器の大きさが大きく低減できると共に、前記対応した電気コネクタとの安定的な接続が保証される。【選択図】　　　図２
2004127521.tif 000002
【特許請求の範囲】
【請求項１】
両相異したインタフェースを有する電子機器を接続するために用いられた電気変換器において、
対応した一つの当接コネクタと接続し、ねじを備えたボルトにより前記の当接コネクタを固定する第１電気コネクタと、
対応した他の当接コネクタとを接続し、ねじを備えたボルトにより前記の当接コネクタを固定する第２電気コネクタと、
前記第１電気コネクタと第２電気コネクタとの間を被覆し、且つ第１電気コネクタの両側に前記ボルトを収納し、かつ前、後を貫通するスルーホールを設け、上部に該スルーホールを連通するスロットが開設され、ボルトはこのスロットを介して前記スルーホールに挿入する絶縁本体と、
を備えたことを特徴とする電気変換器。
【請求項２】
請求項１記載の電気変換器において、前記絶縁本体上のスロットは、スルーホールの貫通方向に垂直した方向に設置され、且つスロットの下端はスルーホールと連通したことを特徴とする。
【請求項３】
請求項１記載の電気変換器において、前記ボルトは、固定部、ねじ部及び該固定部と該ねじ部とを接続する桿部を備え、且つ前記各部はいずれも円柱状に形成されたことを特徴とする。
【請求項４】
請求項３記載の電気変換器において、前記ねじ部の一部は雄ねじが設けられ、ねじ部の直径は、それに接続した桿部の直径より大きく形成されたことを特徴とする。
【請求項５】
請求項４記載の電気変換器において、前記絶縁本体上にボルトを収納するスルーホールと連通したスロットは、幅の異なった第１スロット及び第２スロットを含むことを特徴とする。
【請求項６】
請求項５記載の電気変換器において、前記第１スロットと第２スロットの深さは、ボルトの桿部の長さとほぼ一致することを特徴とする。
【請求項７】
請求項６記載の電気変換器において、前記第１スロットの幅は、ボルトの桿部の直径とほぼ一致するが、第２スロットの幅は、ボルトのねじ部の直径とほぼ一致することを特徴とする。
【請求項８】
請求項７記載の電気変換器において、前記ボルトと該ボルトを収納するスルーホールを組み付け始める際に、ボルトの桿部は、ねじ部とともに前記の第２スロットに位置されたことを特徴とする。
【請求項９】
請求項８記載の電気変換器において、前記組付けるプロセスにおいて、ボルトは垂直方向から水平方向まで回転された場合、その桿部は第２スロットから第１スロットを介してスルーホールに挿入されたことを特徴とする。
【請求項１０】
請求項９記載の電気変換器において、前記ボルトの固定部に所定な作用力を施すことによって、ボルトがスルーホールに沿い電気コネクタの突出方向へ固定部まで移動され、絶縁本体に当接した時、そのねじは外部に突出したことを特徴とする。
【発明の詳細な説明】
【０００１】
【産業上の利用分野】
本発明は一種の電気変換器に関し、特に両相異したインタフェースを有する電子機器を接続するために用いられた電気変換器に関するものである。
【０００２】
【従来の技術】
１９９９年２月に、デジタル・ディスプレイ・ワーキング・グループ（Ｄｉｇｉｔａｌ　Ｄｉｓｐｌａｙ　Ｗｏｒｋｉｎｇ　Ｇｒｏｕｐ；ＤＤＷＧ）がデジタル・ビジュアル・インタフェース（Ｄｉｇｉｔａｌ　Ｖｉｓｕａｌ　Ｉｎｔｅｒｆａｃｅ；ＤＶＩ）の規格を公布したことによって、デジタルディスプレイ装置の共通入出力インタフェースを規範できるようになった。また、この規格を標準にした電気コネクタと電気変換器とを関連するメーカーが続々と開発され、出来上がった。図１に示すように、従来のＤＶＩ電気変換器１は、主に絶縁本体１０、第１電気コネクタ１１及び第２電気コネクタ１２を含む。前記第１電気コネクタ１１の両側には、それぞれ一つのねじを有するボルト１３が設けられ、第１電気コネクタ１１は、それに当接したレセプタクルコネクタに安定に接続される。第２電気コネクタ１２の両側には一対のナット１４が設けられ、この端部に接続したプラグ電気コネクタのスクリュー（図示せず）に接続される。
【０００３】
しかし、これらの従来電気変換器１のボルト１３は、電気変換器に平行する方式で、前記ボルト１３をそれに対応したスルーホールにねじ込み、該方式は、ボルト１３の長さの影響で、電気変換器１の全体大きさが小さくすることはできないため、材料、輸送及び包装等の各方面のコストが増えるばかりでなく、電子装置の小型化にも対応できなくなる。又、前記ボルトが対応したスルーホールにねじ込まれた場合、該プロセスの全ては絶縁本体の一側部のスロット１５内に完成しなければならず、手の作業空間が狭いので、ボルト１３をスルーホール内にねじ込んだ全ての操作プロセスでは不便である。
【０００４】
【発明が解決しようとする課題】
本発明は、一種両相異したインタフェースを有する電子機器を接続するための電気変換器を提供することを目的とする。その大きさは小さく操作も便利であると共に、コストを下げる効果をも十分奏し得るものである。
【０００５】
【課題を解決するための手段】
前記の目的に基づいて、本発明としての電気変換器は、主に第１電気コネクタ、第２電気コネクタ及び該両電気コネクタの間を被覆する絶縁本体を含む。第１電気コネクタの両側にはそれぞれ一つのボルトを設け、それに当接した電気コネクタに合わせられ、安定的にねじ接続を提供することができる。第２電気コネクタの両側にも二つの雌ねじを有するナットを設置し、該端部に対応した電気コネクタを接続するボルトに接続するために用いられる。前記第１電気コネクタの両側にそれぞれボルトを収納するためのスルーホールを設け、さらに該スルーホールの側縁部に前記貫通孔の貫通方向に垂直した方向で、それと連通するスロットを設置し、前記ボルトが該スロットにねじ込まれ、所定の角度を回転させスルーホールに収納されるので、本発明に係る電気変換器の大きさが大きく低減できると共に、前記対応した電気コネクタとの安定的な接続が保証される。
【０００６】
従来の技術に比べて、本発明に係るボルトはスルーホールと連通したスロットにより、スルーホール内にねじ込まれたことで、製品の寸法はボルトの長さに影響されないため、元のボルトの固定機能を確保できると共に、製品の寸法を有効に短縮し、材料、包装及び輸送等のコストも低減できる。又、前記ボルトが対応したスロットにねじ込まれた場合、手の作業空間は相対的に大きく、それを回転させてから、対応したスルーホールにねじ込むことですむので、全てのプロセスの操作は簡単で便利になったものである。
【０００７】
【実施例】
以下、図面を参照して詳細に説明する。図２に示すように、本発明の電気変換器２は絶縁本体２０、第１電気コネクタ２１及び第２電気コネクタ２２を含む。前記第１電気コネクタ２１は当接電気コネクタ（図示せず）と接続し、第２電気コネクタは、それに対応した他の当接電気コネクタ（図示せず）とを接続する。前記絶縁本体２０は前記第１電気コネクタと第２コネクタとの間を被覆し、一体に成形された前部２０１、後部２０２及び該前部２０１と後部２０２を接続する接続部２０３を備える。前記接続部２０３は菱柱状に形成され、その幅が前部２０１または後部２０２より狭く形成されたため、接続部２０３の両側にグルーブ２０４を形成することになる。
【０００８】
第１電気コネクタ２１は、絶縁本体２０に収納され、且つその前部２０１から外部に突出し、第１絶縁本体２１０を有し、該第１絶縁本体を貫通した複数の端子収納溝２１１を設け、当該収納溝２１１は、それに対応した複数の導電端子（図示せず）を収納し、導電端子の前端部は外部の当接電気コネクタを接続するために用いられ、導電端子の後端部は第２電気コネクタ２２内部に対応した導電端子の後端部を導電させる（図示せず）。第１絶縁本体２１０の周辺には遮蔽体２１２が設置される。前記絶縁本体２０の前部２０１の前端面上は一対のナット２３を設け、第１電気コネクタ２１の両側に対応し設置され、当該ナット２３は、一部雌ねじを設け、第１電気コネクタ２１が対接した電気コネクタとを接続した後、ナット２３は、対接した電気コネクタのボルトとを合わせることによって、固定作用を提供することができる。
【０００９】
第２電気コネクタ２２は、前記と同様に絶縁本体２０に被覆され、さらに絶縁本体２０の後部２０２から外部に突出し、その端子の後端部は第１電気コネクタ２１の端子と電気接続し、前端は外部の他の一つ当接電気コネクタが対応した端子と接続することができる（図示せず）。
【００１０】
図３に示すように、ボルト２４は、固定部２４１、ねじ部２４２及びこれらの固定部２４１とねじ部２４２を接続する桿部２４３が備えられる。前記の固定部２４１、ねじ部２４２及び桿部２４３はいずれも円柱状に形成され、且つ固定部２４１の直径は最も大く形成し、ねじ部２４２の直径は桿部２４３の直径より大きく形成するとともに、ねじ部２４２の外周部に雄ねじが設けられる。
【００１１】
又、図６に示すように、絶縁本体２０の後部２０２には前、後方向を貫通するスルーホール２０２１が開設され、このスルーホール２０２１の直径は、ボルト２４のねじ部２４２の直径にほぼ一致している。絶縁本体２０の後部２０２の上方から前記スルーホール２０２１の貫通方向に垂直した方向に、両連通した第１スロット２０２２および第２スロット２０２３が開設される。該第１スロット２０２２は絶縁本体２０の接続部２０３周囲のグルーブ２０４の一側部に近接し、その幅はやや狭く、しかもボルト２４の桿部２４３の直径とほぼ一致し、第２スロット２０２３の幅はボルト２４のねじ部２４２の直径にほぼ一致し、即ちその幅は第１スロット２０２２の幅より広く形成される。第１スロット２０２２及び第２スロット２０２３の深さは、ボルト２４の桿部２４３の長さとほぼ等しく、且つ両スロットの下端はいずれもスルーホール２０２１と連通する。
【００１２】
図３乃至図５は、ボルトを組付けるプロセスの見取図である。図３に示すように、ボルト２４が垂直方向から第２スロット２０２３にねじ込まれて、ねじ部２４２が絶縁本体２０の後部２０２上のスルーホール２０２１に接触された場合、ボルト２４の桿部２４３は全て第２スロット２０２３に収納される。次に、図４に示すように、ボルト２４の固定部２４１が絶縁本体２０の接続部２０３の一側部にあるグルーブ方向へ回転され、前記ボルト２４の桿部２４３の直径はスロット２０２２の幅とほぼ一致し、またねじ部２４２の直径が第１スロット２０２２の幅より広く形成されたため、ボルト２４が水平方向まで回転した際に、図５に示すように、ボルト２４の桿部２４３は、恰も第１スロット２０２２とスルーホール２０２１を連通した空間内に収納され、またねじ部２４２は第２スロット２０２３とスルーホール２０２１を連通した空間内に収納され、この際に、固定部２４１は絶縁本体２０の接続部２０３の両側のグルーブ内に位置される。最後に、ボルト２４の固定部２４１に施力しスルーホール２０２１に沿って第２電気コネクタ２２方向に突出した一側部へ移動し、更にボルト２４のねじ部２４２を外部に突出させる。第２電気コネクタ２２は当接電気コネクタとを当接した後、ボルト２４は当接電気コネクタが対応したナットとねじ込み接続を行うことで、信頼性を有する固着作用が得られる（図示せず）。
【００１３】
前記を総じて、本発明は特許の要件として十分に備えているので法により登録すべきであり、また前記は単なる本願におけるより好ましい実施例にすぎず、本発明の請求範囲を限定するものではなく、また本発明の技術を熟知している上で、本発明に基づきなしうる細部の修飾或いは変更など、いずれも本発明の請求範囲に属するものとする。
【図面の簡単な説明】
【図１】従来の電気変換器の立体図である。
【図２】本発明に係る電気変換器の立体図である。
【図３】本発明に係る電気変換器のボルトが絶縁本体に組付ける前の見取り図である。
【図４】本発明に係る電気変換器のボルトが垂直に絶縁本体のスロットへ組付ける時の見取り図である。
【図５】本発明に係る電気変換器のボルトが絶縁本体に組付け、水平方向まで回転された時の見取り図である。
【図６】本発明に係る電気変換器のボルトが絶縁本体のスルーホールと連通した後の局部断面図である。
【符号の説明】
２　　　　　　　　　　　　　電気変換器
２０、２１０　　　　　　　　絶縁本体
２０１　　　　　　　　　　　前部
２０２　　　　　　　　　　　後部
２０２１　　　　　　　　　　スルーホール
２０２２　　　　　　　　　　第１スロット
２０２３　　　　　　　　　　第２スロット
２０３　　　　　　　　　　　接続部
２０４　　　　　　　　　　　グルーブ
２１　　　　　　　　　　　　第１電気コネクタ
２１１　　　　　　　　　　　収納溝
２１２　　　　　　　　　　　遮蔽体
２２　　　　　　　　　　　　第２電気コネクタ
２３　　　　　　　　　　　　ナット
２４　　　　　　　　　　　　ボルト
２４１　　　　　　　　　　　固定部
２４２　　　　　　　　　　　ねじ部
２４３　　　　　　　　　　　桿部
【図１】
2004127521.tif 000003
【図２】
2004127521.tif 000004
【図３】
2004127521.tif 000005
【図４】
2004127521.tif 000006
【図５】
2004127521.tif 000007
【図６】
2004127521.tif 000008